(57)【要約】【課題】  多種の検査を行う際に、リモコンのスイッチ数を増やすことなく検者が容易に視標を指定する。【解決手段】  表示部に種々の視標を切換表示する眼科装置において、表示部に表示させる視標を指定するスイッチであって少なくとも２つの検査モードに応じて各々異なる視標を表示させるスイッチを複数有した操作部とスイッチを使用することによって視標指定信号を発信する手段とを有するリモコンと、所定の検査モードに対して各スイッチが対応する指定視標が標記されるとともに検査モード毎に用意されるパネルであってリモコンの操作部に着脱可能なパネルと、リモコンの操作部に装着されたパネルに基づいて検査モードを選択する手段と、リモコンからの視標指定信号を受信する手段と、受信手段にて受信された指定信号に基づいて選択手段にて選択された検査モードに対応した視標を表示部に表示する手段と、を備える。【選択図】      図１
2006326182.tif 000002
【特許請求の範囲】
【請求項１】
表示部に種々の視標を切り換え表示する眼科装置において、
前記表示部に表示させる視標を指定するためのスイッチであって少なくとも２つの検査モードに応じて各々異なる視標を表示させるためのスイッチを複数有した操作部と前記スイッチを使用することによって視標指定信号を発信する視標指定信号発信手段とを有するリモートコントローラと、
前記所定の検査モードに対して各スイッチが対応する指定視標が標記されるとともに前記検査モード毎に用意されるパネルであって前記リモートコントローラの操作部に着脱可能なパネルと、
前記リモートコントローラの操作部に装着された前記パネルに基づいて検査モードを選択する検査モード選択手段と、
前記リモートコントローラからの前記視標指定信号を受信する受信手段と、
該受信手段にて受信された前記視標指定信号に基づいて前記検査モード選択手段にて選択された検査モードに対応した視標を前記表示部に表示する視標表示制御手段と、
を備えることを特徴とする眼科装置。
【請求項２】
請求項１の眼科装置において、前記パネルには前記検査モード選択手段にて検査モードを選択するための選択信号を発生させる選択信号発生手段を有し、該選択信号発信手段は前記パネルが前記操作部に装着されることによって前記選択信号を発信させることを特徴とする眼科装置。
【請求項３】
請求項２の眼科装置において、前記検査モード選択手段は前記選択信号発生手段によって発生した選択信号に基づき使用する検査モードを決定するとともに前記視標指定信号を前記決定した検査モードに対応する視標指定信号として前記発信手段から発信させることを特徴とする眼科装置。
【発明の詳細な説明】
【技術分野】
【０００１】
本発明は、表示部に種々の視標を切り換え表示する眼科装置に関する。
【背景技術】
【０００２】
表示部（例えば、液晶ディスプレイやスクリーン）に種々の視標を切り換え表示することにより、被検眼の視力検査を行う装置（例えば、特許文献１参照）が提案されている。このような装置では、リモートコントローラ（以下、リモコンと記す）を用いて、被検者に対して呈示する視標を検査内容に応じて検者が指定するのが一般的である。
【特許文献１】特開昭６３−２１０３４号公報
【発明の開示】
【発明が解決しようとする課題】
【０００３】
しかしながら、多種の検査を１台の装置で実施しようとした場合、それらの検査を実施するために使用されるリモコンのスイッチの数を増やしたり、複数のリモコンを用意する必要が生じる。また、それぞれの検査において検者が簡単に視標を指定できるリモコンが望まれる。
【０００４】
本発明は、上記問題点に鑑み、多種の検査を行う際に、リモコンのスイッチ数を増やすことなく検者が容易に視標を指定することができる眼科装置を提供することを技術課題とする。
【課題を解決するための手段】
【０００５】
（１）  表示部に種々の視標を切り換え表示する眼科装置において、前記表示部に表示させる視標を指定するためのスイッチであって少なくとも２つの検査モードに応じて各々異なる視標を表示させるためのスイッチを複数有した操作部と前記スイッチを使用することによって視標指定信号を発信する視標指定信号発信手段とを有するリモートコントローラと、前記所定の検査モードに対して各スイッチが対応する指定視標が標記されるとともに前記検査モード毎に用意されるパネルであって前記リモートコントローラの操作部に着脱可能なパネルと、前記リモートコントローラの操作部に装着された前記パネルに基づいて検査モードを選択する検査モード選択手段と、前記リモートコントローラからの前記視標指定信号を受信する受信手段と、該受信手段にて受信された前記視標指定信号に基づいて前記検査モード選択手段にて選択された検査モードに対応した視標を前記表示部に表示する視標表示制御手段と、を備えることを特徴とする。
（２）  （１）の眼科装置において、前記パネルには前記検査モード選択手段にて検査モードを選択するための選択信号を発生させる選択信号発生手段を有し、該選択信号発信手段は前記パネルが前記操作部に装着されることによって前記選択信号を発信させることを特徴とする。
（３）  （２）の眼科装置において、前記検査モード選択手段は前記選択信号発生手段によって発生した選択信号に基づき使用する検査モードを決定するとともに前記視標指定信号を前記決定した検査モードに対応する視標指定信号として前記発信手段から発信させることを特徴とする。
【発明の効果】
【０００６】
本発明によれば、多種の検査を行う際に、リモコンのスイッチ数を増やすことなく検者が容易に視標を指定することができる
【発明を実施するための最良の形態】
【０００７】
本発明の実施形態を図面に基づいて説明する。図１は本実施形態に係る眼科装置の外観概略図である。１０はリモートコントローラ（以下、リモコンと記す）であり、後述する視標表示装置２０に表示させる視標を指定するためのスイッチ１１を複数有する操作部１２と、スイッチ１１を検者が使用することによって生じる指標指定信号を発信する発信部１３により構成される。１４は、リモコン１０の各スイッチ１１が対応する指定視標が標記されたパネルであって、リモコン１０の操作部１２上に着脱可能な構成となっている。本実施形態におけるパネル１４は、通常の視力検査を行うための視力検査モード用パネル１４ａと、ＰＬ検査（Preferential Looking検査）用の視力検査モード用パネル１４ｂが用意されている。各パネル１４はシート形状となっており、図示するように操作部１２上に設けられた各スイッチに対応する箇所には、スイッチを通すための開口部１８を有している。また、パネル１４の各開口部１８近傍には、そのパネルを用いて行う検査モードに対応した各スイッチの機能が絵や文字等にて標記されている（図４及び図５参照）。なお、本実施形態では使用するパネル１４を２枚としているが、これに限るものではなく、異なる検査モードの数に応じてパネルの数を用意すればよい。
【０００８】
また、各パネル１４の裏側には、検査モードをリモコン１０に選択させるための識別部材１５が設けられており、リモコン１０側にはパネル１４に設けられた識別部材１５によって選択される検査モードを検出するための検出部１６が設けられている。図示するように識別部材１５は、パネル１４の裏面に設けられた複数の突起１５ａからなり、各パネル１４に応じて突起１５ａの形成位置を異なるものとしている。一方、検出部１６はリモコン１０の操作部１２上にパネル１４を取り付けた際に、突起１５ａが嵌合する位置に設けられており、突起１５ａと嵌合するための複数の小孔の底部に各々設けられたマイクロスイッチ１６ａ（図２参照）からなる。また、１９は、タブであり、パネル１４の取付時にリモコン１０から外側に向けて僅かに突き出る大きさを有している。タブ１９は、リモコン１０に取り付けられたパネル１４を手際よく取り外すに用いられる。
【０００９】
図２は、図１にて示した識別部材１５及び検出部１６の詳細を示した図である。図２（ａ）はパネル１４ａに設けられた通常の視力検査モードを選択する突起１５の配置であり、パネル１４ａをリモコン１０の操作部１２に取り付けると、パネル１４ａに形成された複数の突起１５ａは対応する小孔に挿入され、底部に設けられたマイクロスイッチ１６ａを押すこととなる。突起１５ａによって押されるマイクロスイッチ１６ａの信号（検出信号）によって、検査モードが選択されることとなる。
【００１０】
また、ＰＬ検査用のパネル１４ｂの突起１５ａの形成位置は、図２（ｂ）に示すように、パネル１４ａにおける突起１５の形成位置と異なるものとしている。
【００１１】
なお、本実施形態では突起がマイクロスイッチを押す組合せによって検査モードを選択するものとしているが、これに限るものではなく、パネルをリモコンに取り付けることによって検査モードを選択する機構であればよい。例えば、パネル１４に小型磁石を設け、リモコン１０に磁気センサを設け、磁気センサの信号に基づいて検査モードを選択するような構成であってもよい。また、リモコン１０の操作部１２にパネル１４を密着させる（突起によりマイクロスイッチをしっかりと押せる）ために、リモコン１０側やパネル１４側に取り付け用の磁石を設け、磁力によってリモコン１０とパネル１４とを密着させることもできる。
【００１２】
２０は種々の視標を切り換え表示する視標表示装置であり、液晶モニタからなる表示部２１、受信部２２、表示制御部２３（図３に記す）等を備える。
【００１３】
図３は本実施形態に係る眼科装置の制御系について説明するブロック図である。視標表示装置２０の受信部２２は、リモコン１０の発信部１３によって発信された指標指定信号（スイッチ信号）を受信し、表示制御部２３は受信部２２にて受信したリモコンの指標指定信号に基づいて表示部２１に視標を表示する。１７はリモコン１０の制御部であり、スイッチ１１を有する操作部１２、発信部１３、検出部１６が接続されている。
【００１４】
ここで、所定のパネル１４を操作部１２に装着すると、制御部１７は、検出部１６から発生された検出信号に基づいて、使用する検査モードを選択（決定）する。すなわち、パネル１４の識別部材１５及び検出部１６は、リモコン１０が検査モードを決定するための選択信号を発生させる役割を有し、パネル１４が操作部１２に装着されることによって選択信号を発生させるようになっている。パネル１４が操作部１２に装着され、スイッチ１１への操作入力があると、リモコン１０の制御部１７は、発信部１３から発せられる指標指定信号を決定した検査モードに対応する指標指定信号に変換して発信する。そして、表示部１０の表示制御部２３は、受信部２２にて受信された指標指定信号に基づいて選択された検査モードに対応した視標を表示部２１に表示させる。
【００１５】
以上のような構成を備える眼科装置において、その動作について説明する。本実施形態では、通常の視力検査と、乳幼児に対する視力検査法の一つであるＰＬ検査を行う場合について説明する。なお、ＰＬ検査とは、平均輝度が等しくなるように設定された無地視標と縞視標を被検者の前に呈示したときに、乳児が無地よりも縞視標に興味を示す性質を利用して、縞視標の縞の間隔を変化させることにより視力を測定する方法である。
【００１６】
まず、通常の視力検査を行う際には、検者は、図４に示した通常の視力検査用のパネル１４ａをリモコン１０の操作部１２に装着する。図４は、通常の視力検査用のパネル１４ａをリモコン１０の操作部１２に装着したときの図である。パネル１４ａには、各スイッチ１１が対応する視力値のランドルト環、ひらがな文字、点群チャート、レッド・グリーンチャート、等の視標の標記や、視標の一部にマスクをかけるためのマスクの標記Ｍ等が形成されている。なお、他の標記については、説明を省略する。
【００１７】
パネル１４ａの装着により、リモコン１０の制御部１７は、その検査モードを、通常の視力検査モードとする。ここで、通常の視力検査を行う際には、検者は、被検者を表示部１０の５ｍ前方に位置させ、左眼を遮蔽するよう指示し、検者は図４のスイッチ１１のいずれかを押す。例えば、パネル１４ａにおける視力値１．０のランドルト環の標記に対応するスイッチ１１ａが押されると、制御部１７は、視標表示装置２０に視力値１．０のランドルト環を表示させるための指標指定信号を発信部１３より発信する。そして、指標指定信号が視標表示装置２０の受信部２２にて受信されると、視標表示装置２０の表示制御部２３は、表示部２１に視力値１．０のランドルト環を表示する。なお、マスクの標記に対応するスイッチ１１ｍのいずれかが押されると、視標表示装置２０の視標の一部にマスクがかけられる。検者は、このようにして、異なる視力値視標を順次切り替えていき、被検者の見え具合の応答を得て被検者の視力を検査する。
【００１８】
また、検査モードを切り換えるには、リモコン１０に装着したパネル１４を取り換えるだけでよい。図４は、通常の視力検査用パネル１４ａに代えて、ＰＬ検査用のパネル１４ｂをリモコン１０の操作部１２に装着したときの図である。パネル１４ｂには、各スイッチ１１が対応する、Ｎｏ１〜Ｎｏ１４までの標記や、視標（チャート）の種類を指定させるための標記Cや、縞視標の縞の間隔を段階的に変化させるための標記Ｄや、縞視標を左右どちらに呈示するかを指定するためのＬ及びＲの標記等が形成されている。なお、Ｎｏ１〜ＮＯ１４までの標記は、ＰＬ検査に用いる縞視標の縞の間隔（空間周波数）が１４段階で表されるのに対応したものであり、数字（Ｎｏ）が大きくなるほど縞視標の縞の間隔が狭くなる（空間周波数が大きくなる）。また、視標（チャート）の種類としては、例えば、四角形の枠の中に縞が形成されたものや、動物等をモチーフにした輪郭を持つ枠の中に縞が形成されたものなどが考えられる。
【００１９】
パネルがＰＬ検査モード用のパネル１４ｂに取換えられることにより、リモコン１０の制御部１７は、その検査モードを、スイッチ１１の入力に基づいてＰＬ検査に対応した指標指定信号を発信するＰＬ検査モードとする。なお、パネル１４ｂにおいて、標記が形成されていない部分に対応するスイッチ（例えば、スイッチ１１Ｎ）については、検者が入力してもこれに対応する指標指定信号が発信されないような構成となっている。
【００２０】
ＰＬ検査を行う際には、被検者（乳児）を親に抱かせて、親のひざの上に座らせる。このとき、図６のように、隔離板１００で表示部２１の周辺を囲み被検者を検査に集中させるようにしておく。また、検者は、被検者撮影用カメラ１０１によって被検者を撮影し、このカメラ１０１からの撮影画像を検者が図示なきモニタで観察することにより、被検者が縞視標を見ているかどうかを判断する。
【００２１】
このような状態で、例えば、パネル１４ｂにおけるＮｏ１に対応するスイッチ１１ｂが押されると、制御部１７は、表示部２１にＮｏ１に対応する縞視標を表示させるための指標指定信号を発信部１３より発信する。そして、その指標指定信号が視標表示装置２０の受信部２２にて受信されると、視標表示装置２０の表示制御部２３は、表示部２１にＮｏ１に対応する縞視標を表示する。このとき、検者は、図示なきモニタから被検者が縞視標の方を見ているかどうかを判断する。
【００２２】
このようにして、被検者に複数回視標を呈示して視標が見えていると判断できたならば、徐々に縞の間隔が狭い縞視標にかえて同様の検査を行う。この場合、パネル１４ｂにおけるＮｏ１〜Ｎｏ１４に対応する各スイッチ１１を用いてもよいし、縞視標の縞の間隔を段階的に変化させるための標記Ｄに対応する各スイッチ１１を用いてもよい。そして、検者は、上記のようにして縞の間隔を狭くしていき、被検者が視標を見えていると判断できた最も縞の間隔が狭い視標をもって、視力とする。
【００２３】
以上のような構成とすれば、多種の検査を１台の装置で実施しようとするような場合に、リモコンのスイッチの数を増したり、複数のリモコンを用意することなく、簡単な構成で多機能のリモコン操作を実現することができる。また、所定の検査モードに対して各スイッチ１１が対応する指定視標の標記は、パネル１４毎に区別されるため、検者は、各検査モードにおける視標の指定をとまどうことなく簡単に行うことができる。
【００２４】
なお、本実施形態において、操作部１２にパネル１４が装着される際、リモコン１０の制御部１７にて自動的に検査モードを選択するような構成としたが、他の構成としては、検者の手動操作によって検査モードを選択する構成も考えられる。この場合、例えば、操作部１２に装着したパネル１４が、どの検査モードに対応したパネルであるかを選択するパネル１４選択用スイッチを設けるような構成としてもよい。
【００２５】
さらに、本実施形態においては、視標表示装置２０において、表示部２１により視標を表示するような構成としたが、これに限るものではなく、種々の視標を切り換え表示できる構成であればよい。例えば、スクリーンに視標を投影させる視標投影装置であってもよい。
【００２６】
さらにまた、本実施形態では、リモコン１０に装着されたパネル１４によって同じスイッチ１１を押しても発信される指標指定信号が変えられるような構成としたが、これに限るものではない。すなわち、パネル１４が操作部１２に装着された後、視標表示装置側に検査モードを選択（決定）させるための信号を送信し、これを受けた視標表示装置２０側で検査モードを選択させるようにしてもよい。この場合、リモコン１０に受信部、視標表示装置２０に送信部を持たせると、送信ミス等があった場合に対応できる。例えば、リモコン１０にパネル１４ａ（通常の視力検査モード用）を装着すると、発信部から通常の視力検査モードとするための選択信号が視標表示装置２０に送信される。視標表示装置２０側にて選択信号を受信すると、表示制御部２３は、視標表示装置２０に設けられた送信部から受信完了の信号をリモコン１０の受信部に送信するとともに、通常の視力検査モードに設定する。このように検査モードが設定された状態で、リモコン１０のスイッチ１１を使用すると、その指標指定信号に基づいて表示制御部２３は、設定した検査モードにおける受信した指標指定信号に対応する検査視標を表示部２１にて表示する。この場合、装着されたパネル１４が違っても、同じスイッチからは同じ指標指定信号が発せられるが、視標表示装置２０側にて検査モードが選択されるため、視標表示装置２０は、パネル１４が対応する検査モードに応じた検査視標を表示できる。なお、リモコン１０から視標表示装置２０に選択信号を送信する構成としては、例えば、スイッチ１１の入力に基づいて送信したり、パネル１４がリモコン１０に装着されたことを検出する検出部１６からの検出信号に基づいて送信するような構成が考えられる。
【図面の簡単な説明】
【００２７】
【図１】本実施形態に係る眼科装置の外観概略図である。
【図２】パネルの裏面に設けられた突起と、リモコンに設けられたマイクロスイッチの構成について説明する概略構成図である。
【図３】本実施形態に係る眼科装置の制御系について説明するブロック図である。
【図４】通常の視力検査用のパネルをリモコンの操作部に装着したときの図である。
【図５】ＰＬ検査用のパネルをリモコンの操作部に装着したときの図である。
【図６】ＰＬ検査の際の視標呈示方法の一例について説明する図である。
【符号の説明】
【００２８】
１０  リモートコントローラ
１１  スイッチ
１２  操作部
１３  発信部
１４  パネル
１５  識別部材
１６  検出部
１７  制御部
２０  視標表示装置
２１  表示部
２２  受信部
２３  表示制御部
【図１】
2006326182.tif 000003
【図２】
2006326182.tif 000004
【図３】
2006326182.tif 000005
【図４】
2006326182.tif 000006
【図５】
2006326182.tif 000007
【図６】
2006326182.tif 000008